(57)【特許請求の範囲】
【請求項１】
圧力をもつ水を取り込む入水ポート及び該水を吐き出す出水ポートをハウジングに有するとともに該入水ポートと該出水ポートとの間で開度を調整可能な弁機構を有する開閉弁において、
前記弁機構は、外部操作手段の外部操作により前記ハウジング内で軸方向に摺動可能に設けられ、該軸方向の一方側に摺動することにより該ハウジングの座面に着座して該入水ポートと該出水ポートとの連通を閉じ、該軸方向の他方側に摺動することにより該座面から離座して該入水ポートと該出水ポートとの連通を開けるピストンと、該ピストンが該出水ポート内の水から該他方側に受ける圧力を相殺する圧力相殺手段とを有し、
該入水ポートは該ピストンの周面側に開口し、該出水ポートは該ピストンの軸方向の一方側の端面側に開口し、該ピストンの外周部と該ハウジングの内壁面との境界域はシールされ、
該圧力相殺手段は、該ピストンの他方側に形成された圧力相殺室と、該ピストンに軸方向で貫設され、該ピストンが該座面に着座した状態で該出水ポートと該圧力相殺室とを連通する連通路とからなることを特徴とする開閉弁。
【請求項２】
外部操作手段は、ピストンに固定されてハウジングから突出し、付勢手段と対抗しつつ該ピストンを軸方向に摺動させるシャフトであることを特徴とする請求項１記載の開閉弁。
【請求項３】
付勢手段はピストンを軸方向の一方側に付勢し、シャフトは該一方側に突出していることを特徴とする請求項２記載の開閉弁。
【請求項４】
出水ポートは便器洗浄タンクを有さない水洗式便器に接続されることを特徴とする請求項１、２又は３記載の開閉弁。
【発明の詳細な説明】
【０００１】
【発明の属する技術分野】
本発明は水の供給及び供給停止を行う開閉弁に関する。
【０００２】
【従来の技術】
一般的な水洗式便器では、水道管等の給水管から供給される水をロータンク等の便器洗浄タンクに一旦貯留し、その便器洗浄タンクに貯留した水により便鉢の洗浄を行う。しかし、かかる一般的な水洗式便器では、便器洗浄タンクの設置スペースが必要とされる。このため、近年、スペースの有効活用等の観点から、給水管と水洗式便器との間に開閉弁（流量調整弁）を設け、開閉弁の開弁により給水管から供給される水を水洗式便器へ直接供給可能なタンクレス便器が開発されつつある（特開平３−９０７２３号公報）。
【０００３】
かかるタンクレス便器に採用され得る従来の開閉弁は、ハウジングに入水ポート及び出水ポートを有するとともに入水ポートと出水ポートとの間で開度を調整可能な弁機構を有している。入水ポートは給水管に接続されてハウジング内に水を取り込めるようになっており、出水ポートはタンクレス便器に接続されて水をハウジングからタンクレス便器に吐き出し得るようになっている。また、弁機構として、入水ポートと出水ポートとの間にダイアフラムを有しており、このダイアフラムは電磁弁の操作によって撓むことができるようになっている。
【０００４】
この開閉弁では、電磁弁の操作によりダイアフラムを撓ませ、これにより入水ポートと出水ポートとの連通の開度が調整可能である。
【０００５】
【発明が解決しようとする課題】
しかし、上記従来の開閉弁では、弁機構として可撓性に富むダイアフラムを採用しており、ダイアフラムが撓んで作動応答性が安定せず、例えば水洗式便器に用いた場合における洗浄性等についての信頼性が危惧されることとなる。
特に、この開閉弁では、そのダイアフラムの一面が入水ポート内の水の圧力を常時受けている。このため、この開閉弁では、入水ポート内の水の圧力が過剰に高いときには、開度を小さくする電磁弁の操作に反し、入水ポートと出水ポートとの連通の開度が大きくなりやすい。逆に、入水ポート内の水の圧力が過剰に低いときには、開度を大きくする電磁弁の操作に反し、入水ポートと出水ポートとの連通の開度が小さくなりやすい。これら入水ポート内の水の圧力の変動は、ビルの高層階又は高度地下等、開閉弁の使用される環境等によって生じる。このため、この開閉弁は特に作動応答性が安定しにくいと考えられる。
【０００６】
本発明は、上記した実情に鑑みてなされたものであり、作動応答性の安定化に貢献できる開閉弁を提供することを解決すべき課題としている。
【０００７】
【課題を解決するための手段】
本発明の開閉弁は、圧力をもつ水を取り込む入水ポート及び該水を吐き出す出水ポートをハウジングに有するとともに該入水ポートと該出水ポートとの間で開度を調整可能な弁機構を有する開閉弁において、
前記弁機構は、外部操作手段の外部操作により前記ハウジング内で軸方向に摺動可能に設けられ、該軸方向の一方側に摺動することにより該ハウジングの座面に着座して該入水ポートと該出水ポートとの連通を閉じ、該軸方向の他方側に摺動することにより該座面から離座して該入水ポートと該出水ポートとの連通を開けるピストンと、該ピストンが該入水ポート又は該出水ポート内の水から該他方側に受ける圧力を相殺する圧力相殺手段とを有し、
該入水ポートは該ピストンの周面側に開口し、該出水ポートは該ピストンの軸方向の一方側の端面側に開口し、該ピストンの外周部と該ハウジングの内壁面との境界域はシールされ、
該圧力相殺手段は、該ピストンの他方側に形成された圧力相殺室と、該ピストンに軸方向で貫設され、該ピストンが該座面に着座した状態で該出水ポートと該圧力相殺室とを連通する連通路とからなることを特徴とする。
【０００８】
本発明の開閉弁では、外部操作手段の外部操作によりピストンが軸方向の一方側に摺動すれば、ピストンがハウジングの座面に着座し、入水ポートと出水ポートとの連通を閉じる。この状態では、入水ポートからの水の流れは停止される。また、外部操作手段の外部操作によりピストンが軸方向の他方側に摺動すれば、ピストンがハウジングの座面から離座し、入水ポートと出水ポートとの連通を開ける。この状態では、開度に応じて、水が入水ポートからハウジング内を流れ、出水ポートから吐き出される。こうして、この開閉弁では、外部操作手段の外部操作によって入水ポートと出水ポートとの連通の開度が調整可能である。
【０００９】
こうしてピストンにより入水ポートと出水ポートとの連通の開閉を行うことから、ピストンは入水ポート又は出水ポート内の水によって他方側に圧力を受けることとなる。この際、可撓性を有しないピストンはこの他方側への圧力によって開弁側に撓むことはない。しかし、ピストンの摺動のための空間を設けるだけでは、かかる他方側への圧力により、ピストンは軸方向の摺動性が阻害されてしまう。このため、本発明の開閉弁では、圧力相殺手段によりその他方側への圧力を相殺し、これによりピストンの軸方向の摺動性を確保している。このため、この開閉弁では、作動応答性が安定し、例えば水洗式便器に用いた場合における洗浄性等についての信頼性を向上させることができる。
【００１０】
また、本発明の開閉弁では、ピストンの動作により閉弁・開弁速度を任意に設定することができることから、従来の開閉弁のダイアフラムによるような急な閉弁・開弁をなくすことができる。このため、この開閉弁では、水を大流量で流しても、急な閉弁を防止できることから、ウォータハンマの発生を防止し、騒音等を抑制することができる。
【００１１】
さらに、従来の開閉弁では、ダイアフラムを用いていることから、水の低圧時に十分に開弁を行い難く、圧力損失を生じやすい。この点、従来の開閉弁において、水の低圧時でも十分な開弁を行わしめ、これにより圧力損失を小さくせんとすれば、その開閉弁は、ダイアフラムの大型化が必要であることから、必然的に大型化してしまい、水洗式便器等への搭載性が損なわれることとなる。これに対し、本発明の開閉弁では、小型のピストンでもその動作により水の低圧時において十分に開弁を行うことができることから、圧力損失を生じ難く、かつ必ずしも大型化せず、水洗式便器等への優れた搭載性を発揮することができる。
【００１２】
圧力相殺手段は、ピストンの他方側に形成された圧力相殺室と、ピストンに軸方向で貫設され、ピストンが座面に着座した状態で出水ポートとこの圧力相殺室とを連通する連通路とからなる。こうであれば、出水ポートからピストンの一方側に存在する水が連通路を介して圧力相殺室に移動し、圧力相殺室内の水の圧力と、ピストンの一方側の水の圧力との均衡が図られ、両者の差圧が解消又は減少される。
【００１３】
連通路は、ピストンに形成する。ハウジングに連通路を形成すると、ピストンが軸方向に摺動することから、連通路を屈曲させる等、連通路が複雑になるが、ピストンに形成するのであれば、連通路を軸方向に貫設する等、簡易な連通路を採用することができる。また、ピストンに連通路を軸方向で貫設すれば、連通路内を移動する水がピストンの摺動時に抵抗を受けず、ピストンの摺動性が向上する。
【００１４】
ハウジングの入水ポートがピストンの周面側に開口し、ハウジングの出水ポートがピストンの軸方向の一方側の端面側に開口している。こうであれば、ピストンは入水ポート内の水によって他方側に圧力を受けず、開閉弁の使用される環境等によって入水ポート内の水の圧力が過剰に高かったり、又は低かったりしても、それによってピストンの摺動性が変化しない。
【００１５】
外部操作手段としては、ピストンを磁力等により外部操作可能とする構成も採用し得るが、ピストンに固定されてハウジングから突出し、付勢手段と対抗しつつピストンを軸方向に摺動させるシャフトを採用することが好ましい。こうであれば、従来の開閉弁のような電磁弁を採用する必要がないため、開閉弁の製造コストを低廉化することができる。特に、開閉弁を複数用いる場合、従来の開閉弁では個々の電磁弁で開閉をおこなわなければならないが、かかるシャフトを採用すれば、個々のシャフトを個々のカムで開閉することができ、製造コストの低廉化の効果が大きい。
【００１６】
本発明の開閉弁では、図９（Ａ）〜（Ｄ）に示す付勢手段とシャフトとの関係を採用することができる。ここで、付勢手段としては、ピストンを押圧する押圧バネ等の押圧手段の他、ピストンを引張する引張バネ等の引張手段を採用することができる。
図９（Ａ）に示す関係では、付勢手段ＳがピストンＰを軸方向の一方側に付勢し、シャフトＤが一方側に突出している。この関係では、付勢手段Ｓの付勢力に抗してシャフトＤを他方側に押せば、ピストンＰが入水ポートＩと出水ポートＯとの連通を開ける。他方、付勢手段Ｓの付勢力に屈してシャフトＤを一方側に引けば、ピストンＰが入水ポートＩと出水ポートＯとの連通を閉じる。
【００１７】
また、図９（Ｂ）に示す関係では、付勢手段ＳがピストンＰを一方側に付勢し、シャフトＤが他方側に突出している。この関係では、付勢手段Ｓの付勢力に抗してシャフトＤを他方側に引けば、ピストンＰが入水ポートＩと出水ポートＯとの連通を開ける。他方、付勢手段Ｓの付勢力に屈してシャフトＤを一方側に押せば、ピストンＰが入水ポートＩと出水ポートＯとの連通を閉じる。
【００１８】
さらに、図９（Ｃ）に示す関係では、付勢手段ＳがピストンＰを他方側に付勢し、シャフトＤが一方側に突出している。この関係では、付勢手段Ｓの付勢力に抗してシャフトＤを一方側に引けば、ピストンＰが入水ポートＩと出水ポートＯとの連通を閉じる。他方、付勢手段Ｓの付勢力に屈してシャフトＤを他方側に押せば、ピストンＰが入水ポートＩと出水ポートＯとの連通を開ける。
【００１９】
また、図９（Ｄ）に示す関係では、付勢手段ＳがピストンＰを他方側に付勢し、シャフトＤが他方側に突出している。この関係では、付勢手段Ｓの付勢力に抗してシャフトＤを一方側に押せば、ピストンＰが入水ポートＩと出水ポートＯとの連通を閉じる。他方、付勢手段Ｓの付勢力に屈してシャフトＤを他方側に引けば、ピストンＰが入水ポートＩと出水ポートＯとの連通を開ける。
【００２０】
これらのうち、図９（Ａ）に示す関係が好ましい。こうであれば、付勢手段Ｓとして一般的な押圧バネを採用し、この押圧バネの付勢力によってピストンＰが入水ポートＩと出水ポートＯとの連通を閉じることができる一方、入水ポートＩと出水ポートＯとの連通を開けるため、付勢手段Ｓの付勢力に抗してシャフトＤを他方側に押すためのカムを採用することができる。かかるカムは、入水ポートＩと出水ポートＯとの連通を開けるために、シャフトＤを他方側に押す構造となるため、構造が比較的簡易となり、開閉弁の製造コストを低廉化することができる。
【００２１】
本発明の開閉弁の好ましい形態によれば、出水ポートは便器洗浄タンクを有さない水洗式便器（タンクレス便器）に接続される構成を採用することができる。こうであれば、ビルの高層階又は高度地下等においても、便器洗浄タンクを有さないタンクレス便器に対する給水及び給水停止を開閉弁によって確実に行ない得る。
【００２２】
【発明の実施の形態】
以下、本発明を具体化した実施形態を図面を参照しつつ説明する。
実施形態の開閉弁１は、図１及び図２に示すように、ハウジング２内に水を取り込む入水ポート２１と、水を吐き出す出水ポート２３とを有している。
【００２３】
ハウジング２には、入水ポート２１及び出水ポート２３に連通するピストン室２５が形成されている。ピストン室２５にはピストン３が軸方向に摺動可能に収納されている。入水ポート２１はピストン３の周面側に開口し、出水ポート２３はピストン３の軸方向の一方側の端面側からハウジング２の側面側に屈曲して開口している。ピストン３の外周部のリング溝にはＯリング３１が保持されており、ピストン３の外周部とハウジング２の内壁面との境界域をシールしている。
【００２４】
また、ピストン室２５内にはハウジング２とピストン３の他端面３ｂとにより圧力相殺室４が形成されている。圧力相殺室４はピストン３に形成された複数本の連通孔４ａを介して出水ポート２３側に連通している。各連通孔４ａはピストン３の一端面３ａ側と他端面３ｂ側とを軸方向で連通している。これら圧力相殺室４及び各連通孔４ａが圧力相殺手段である。
【００２５】
圧力相殺室４には、付勢手段としての押圧コイルバネ５が同軸的に配置されている。押圧コイルバネ５はハウジング２とピストン３の他端面３ｂとの間に介装され、ピストン３を常時一方側、つまり矢印Ｙ１方向に付勢し、入水ポート２１と出水ポート２３との連通を閉じる方向に付勢力を有している。
ピストン３の一端面３ａにはピストン３を軸方向で移動させ得る外部操作手段としてのシャフト６が同軸的に固定され、ハウジング２から突出されている。シャフト６の先端部はハウジング２から軸方向の一方側、つまり矢印Ｙ１方向に突出し、カム７０（図３等の第１カム９１又は第２カム９２）により軸方向の他方側、つまり矢印Ｙ２ａ方向に押圧可能となっている。カム７０によりシャフト６が矢印Ｙ２ａ方向に押圧されると、ピストン３が連動して同じ方向に摺動する。なお、シャフト６とハウジング２との境界域はＯリング６２によりシールされている。
【００２６】
上記開閉弁１と同様の開閉弁１Ｂ、１Ｃを用意し、図３及び図４に示すように、一つをリム用の開閉弁１Ｂとし、他の一つをジェット用の開閉弁１Ｃとし、給水装置７を組み付ける。この給水装置７は、これら開閉弁１Ｂ、１Ｃと、連結部材１４Ｂ、１４Ｃと、一対のバキュームブレーカ１５Ｂ、１５Ｃと、カム装置９０と、駆動装置９４と、手動操作用のハンドル９５と、図示しないコントローラとからなる。かかる給水装置７は、図５〜８に示すように、衛生機器としての便器洗浄タンクを有さないタンクレス便器８の後端にベースプレート９を介して組込まれ、カバー８１により隠蔽されている。タンクレス便器８の便鉢部８０は、排泄物を受けるボウル部８２と、ボウル部８２の上部周縁に巡らされたリム通水路８３を有するリム８４と、ボウル部８２の底に連通し、排泄物を流すトラップ部８５と、トラップ部８５の入口に取り付けられたジェットノズル８７とを備えている。なお、便座及び便蓋の図示は省略している。
【００２７】
図３及び図４に示すように、開閉弁１Ｃの入水ポート２１Ｃには側面側に突出してフランジ７ａが形成されており、フランジ７ａには、図５〜８にも示すように、導管１０１の一端が接続される。導管１０１の他端は分岐装置１０２に接続されており、分岐装置１０２はフレキシブルホース１０３により図示しない止水栓を介して水道管等の給水管に接続されている。また、図３及び図４に示す開閉弁１Ｃの入水ポート２１Ｃは、図１及び図２に示す開閉弁１と同様、ハウジング２とピストン３の外周面３ｆとの間に形成された連絡路２２を介して開閉弁１Ｂの入水ポートに繋がっている。
【００２８】
図３及び図４に示すように、開閉弁１Ｃには連結部材１４Ｃが接続され、連結部材１４Ｃの上端にはバキュームブレーカ１５Ｃが接続されている。開閉弁１Ｃの出水ポート２３Ｃは連結部材１４Ｃの出水ポート２４Ｃ及びバキュームブレーカ１５Ｃの大気孔と接続されている。連結部材１４Ｃの出水ポート２４Ｃには下方に突出してフランジ７ｂが形成されており、フランジ７ｂは、図５〜８に示すように、ジェット用導管９７によりタンクレス便器８のジェットノズル８７に接続されている。
【００２９】
他方、図３及び図４に示すように、開閉弁１Ｂにも連結部材１４Ｂが接続され、連結部材１４Ｂの上端にはバキュームブレーカ１５Ｂが接続されている。開閉弁１Ｂと同様、開閉弁１Ｂの出水ポートは連結部材１４Ｂの出水ポート２４Ｂ及びバキュームブレーカ１５Ｂの大気孔と接続されている。連結部材１４Ｂの出水ポート２４Ｂには下方に突出してフランジ７ｃが形成されており、フランジ７ｃは、図５〜８に示すように、リム用導管９８によりタンクレス便器８のリム通水路８３に連通されている。リム用導管９８には、図６及び図８に示すように、先端側に開いて水を右回りに吐出可能な開口９８ａと、側面側に開いて水を左回りに吐出可能な開口９８ｂとが形成されている。
【００３０】
図３及び図４に示すカム装置９０は、両開閉弁１Ｂ、１Ｃに固定され、前方に向かって両端が突出しているブラケット９０ｂと、このブラケット９０ｂに水平状態で回転可能に保持されたカムシャフト９０ａと、このカムシャフト９０ａに固定され、各開閉弁１Ｂ、１Ｃのシャフト６Ｂ、６Ｃと外周のカム面により当接可能な第１、２カム９１、９２とからなる。
【００３１】
駆動装置９４は、変速ギア及びモータを内蔵しており、コントローラの制御によりカム装置９０のカムシャフト９０ａを回転駆動できるようになっている。
ハンドル９５は駆動装置９４に取り付けられており、カム装置９０のカムシャフト９０ａを手動回転できるようになっている。
上記のように構成されたタンクレス便器８では、給水管、止水栓、フレキシブルホース１０３、分岐装置１０２及び導管１０１を経て水が給水装置７に供給される。給水装置７では、便鉢部８０の洗浄を行おうとする使用者のスイッチ操作がない限り、両開閉弁１Ｂ、１Ｃが閉弁している。つまり、図１及び図２に示す開閉弁１で説明すれば、押圧コイルバネ５の付勢力により、ピストン３が軸方向の一方側、つまり矢印Ｙ１方向に移動している。このため、図１に示すように、ピストン３はハウジング２の座面２ａに着座し、ピストン３の外周面３ｆが入水ポート２１を閉鎖するとともに、ピストン３の一端面３ａが出水ポート２３を閉鎖している。このため、入水ポート２１と出水ポート２３との連通が閉じられており、水はタンクレス便器８へは供給されない。
【００３２】
そして、便鉢部８０の洗浄を行うときには、使用者のスイッチ操作に基づいて、コントローラの信号により駆動装置９４のモータが駆動し、カムシャフト９０ａが回転駆動される。これにより、第１カム９１のカム面が開閉弁１Ｂのシャフト６Ｂを下方向に押圧し、開閉弁１Ｂを開弁させる。つまり、図１及び図２に示す開閉弁１で説明すれば、第１カム９１によりシャフト６を軸方向の他方、つまり矢印Ｙ２ａ方向に押圧する。すると、押圧コイルバネ５が弾性収縮し、ピストン３は軸方向の他方向、つまり矢印Ｙ２方向に移動する。これにより、図２に示すように、ピストン３はハウジング２の座面２ａから離座し、入水ポート２１と出水ポート２３との連通を開ける。これにより、給水装置７が水をリム用導管９８を介してリム通水路８３に給水し、ボウル部８２の内壁面を洗浄する。
【００３３】
第１カム９１のカム面が開閉弁１Ｂのシャフト６Ｂを下方向に押圧しなくなり、上記開閉弁１の閉弁と同様に開閉弁１Ｂが閉弁した後、第２カム９２のカム面が開閉弁１Ｃのシャフト６Ｃを下方向に押圧し、上記開閉弁１と同様、開閉弁１Ｃを開弁させる。これにより、給水装置７が水をジェット用導管９７を介してジェットノズル８７に給水し、トラップ部８５に強制的にサイホン作用を生じさせる。
【００３４】
次いで、第２カム９２のカム面が開閉弁１Ｃのシャフト６Ｃを下方向に押圧しなくなり、上記開閉弁１の閉弁と同様に開閉弁１Ｃが閉弁した後、第１カム９１のカム面が開閉弁１Ｂのシャフト６Ｂを再度下方向に押圧し、上記開閉弁１と同様、開閉弁１Ｂを再度開弁させる。これにより、給水装置７が水をリム用導管９８を介してリム通水路８３に給水し、ボウル部８２を封水する。
【００３５】
こうして、実施形態の両開閉弁１Ｂ、１Ｃでは、シャフト６Ｂ、６Ｃの外部操作によって入水ポートと出水ポートとの連通の開度が調整可能である。以下、図１及び図２に示す開閉弁１で説明すれば、ピストン３により入水ポート２１と出水ポート２３との連通の開閉を行うことから、ピストン３は出水ポート２３内の水によって他方側に圧力を受けることとなる。この際、可撓性を有しないピストン３はこの他方側への圧力によって開弁側に撓むことはない。しかし、ピストン３の摺動のための空間を設けるだけでは、かかる他方側への圧力により、ピストン３は軸方向の摺動性が阻害されてしまう。この点、開閉弁１では、ピストン３の他方側に圧力相殺室４を形成し、ピストン３の一方側とこの圧力相殺室４とを複数本の連通路４ａにより連通したため、出水ポート２３からピストン３の一方側に存在する水が連通路４ａを介して圧力相殺室４に移動し、圧力相殺室４内の水の圧力と、ピストン３の一方側の水の圧力との均衡が図られ、両者の差圧が解消又は減少される。これによりピストン３の軸方向の摺動性が確保される。このため、この開閉弁１では、作動応答性が安定し、タンクレス便器８に用いた場合における洗浄性等についての信頼性を向上させることができる。
【００３６】
また、実施形態の開閉弁１では、ピストン３に連通路４ａを形成しているため、各連通路４ａを簡易に軸方向に貫設することができる。そして、ピストン３に連通路４ａを軸方向で貫設しているため、連通路４ａ内を移動する水がピストン３の摺動時に抵抗を受けず、ピストン３の摺動性が向上している。
さらに、実施形態の開閉弁１では、ハウジング２の入水ポート２１がピストン３の周面側に開口し、ハウジング２の出水ポート２３がピストン３の軸方向の一方側の端面側に開口しているため、ピストン３は入水ポート２１内の水によって他方側に圧力を受けず、開閉弁１の使用される環境等によって入水ポート２１内の水の圧力が過剰に高かったり、又は低かったりしても、それによってピストン３の摺動性が変化しない。
【００３７】
また、外部操作手段として、ピストン３に固定されてハウジング２から突出し、押圧コイルバネ５と対抗しつつピストン３を軸方向に摺動させるシャフト６を採用しているため、従来の開閉弁のような電磁弁を採用する必要がなく、開閉弁１の製造コストを低廉化することができる。特に、実施形態に示すタンクレス便器８では、一対の開閉弁１Ｂ、１Ｃを用いているため、この効果が大きい。また、これら開閉弁１Ｂ、１Ｃを１本のカムシャフト９０ａに固定した第１、２カム９１、９２で開閉することができ、さらにこの効果が大きい。
【００３８】
さらに、実施形態の開閉弁１では、押圧コイルバネ５がピストン３を軸方向の一方側に付勢し、シャフト６が一方側に突出しているため、比較的安価な押圧コイルバネ５を採用し、この押圧コイルバネ５の付勢力によってピストン３が入水ポート２１と出水ポート２３との連通を閉じることができる一方、入水ポート２１と出水ポート２３との連通を開けるため、押圧コイルバネ５の付勢力に抗してシャフト６を他方側に押すためのカム７０を採用することができる。かかるカム７０は、入水ポート２１と出水ポート２３との連通を開けるために、シャフト６を他方側に押す構造となるため、構造が比較的簡易となり、開閉弁１の製造コストを低廉化することができる。
【００３９】
また、実施形態の開閉弁１では、カム７０及びシャフト６を介したピストン３の動作により閉弁・開弁速度を任意に設定することができることから、水を大流量で流しても、急な閉弁を防止できることから、ウォータハンマの発生を防止し、騒音等を抑制することができる。
さらに、実施形態の開閉弁１では、小型のピストン３でもその動作により水の低圧時において十分に開弁を行うことができることから、圧力損失を生じ難く、かつ必ずしも大型化せず、タンクレス便器８への優れた搭載性を発揮している。
【図面の簡単な説明】
【図１】実施形態に係り、開閉弁の閉弁状態の断面図である。
【図２】実施形態に係り、開閉弁の開弁状態の断面図である。
【図３】実施形態の適用形態に係り、ジェット用の開閉弁及びリム用の開閉弁を用いた給水装置の正面図である。
【図４】実施形態の適用形態に係り、ジェット用の開閉弁及びリム用の開閉弁を用いた給水装置の側面図である。
【図５】実施形態の適用形態に係り、タンクレス便器の要部の断面図である。
【図６】実施形態の適用形態に係り、タンクレス便器の要部の平面図である。
【図７】実施形態の適用形態に係り、タンクレス便器の要部の背面図である。
【図８】実施形態の適用形態に係り、タンクレス便器の要部の斜視図である。
【図９】本発明の開閉弁の適用可能な構成を示す模式図である。
【符号の説明】
１、１Ｂ、１Ｃ、１０…開閉弁（１Ｂ…リム用の開閉弁、１Ｃ…ジェット用の開閉弁）
２…ハウジング
２ａ…座面
２１、２１Ｃ…入水ポート
２３、２３Ｃ…出水ポート
３、４、４ａ…弁機構（３…ピストン、４、４ａ…圧力相殺手段（４…圧力相殺室、４ａ…連通路）
４ａ…連通路
６、６Ｂ、６Ｃ…外部操作手段（シャフト）
５…付勢手段（押圧コイルバネ）
８…水洗式便器（タンクレス便器）
７０、９１、９２…カム（９１…第１カム、９２…第２カム）
【図１】
0003786246.tif 000002
【図２】
0003786246.tif 000003
【図３】
0003786246.tif 000004
【図４】
0003786246.tif 000005
【図５】
0003786246.tif 000006
【図６】
0003786246.tif 000007
【図７】
0003786246.tif 000008
【図８】
0003786246.tif 000009
【図９】
0003786246.tif 000010